(57)【要約】      （修正有）【課題】レンジフード本体をレンジフード用油汚れ防止フィルター付フレームで全体を被い本体内側及び油煙を獲得するグリスフィルター等に油汚れ等の付着を防止させる為のフィルター付フレームで本体から容易に脱着可能であり、フレームに取り付けてあるフィルターの交換も簡単で、しかも換気機能を害さず効果的に油汚れを防止することができる油汚れ防止フィルター付フレームを提供する。【解決手段】浅型、深型、その他の形をしたレンジフード下端の外枠の縁に合わせた軽金属フレームに、目の粗い難燃性の使い捨て不織布フィルターを取付け、そのフィルター付フレームを本体に永久磁石で両者を固定した。【選択図】図１
0003101682.tif 000002
【実用新案登録請求の範囲】
【請求項１】
各種型のレンジフード本体の吸い込み口全体を被う為の目の粗い難燃性の使い捨て不繊布フィルターが取り付けてあるフレームを永久磁石で両者を固定したことを特徴とするレンジフード用油汚れ防止フィルター付フレーム。
【請求項２】
フレーム内側全周にマジックテープのオスを両面テープまたは接着剤で接着させ、目の粗い難燃性の使い捨て不織布フィルターをフレーム全体に外側から被い、周端を内側に折り返して、マジックテープに当接させ止めることを特徴とする請求項１のレンジフード用油汚れ防止フィルター付フレーム。
【請求項３】
永久磁石を押さえるための磁石支持金具図１１とフレームとの固定は固定金具図１２でフレームに固定することを特徴とするレンジフード用油汚れ防止フィルター付フレーム。
【考案の詳細な説明】
【０００１】
【考案の属する技術分野】
本考案は不繊布フィルターを容易に着脱できるフィルター付フレームをレンジフードの下部全体に被い両者を固定し、内部全体の油汚れを防止することに関するものである。
【０００２】
【従来の技術】
レンジフード内部に取り付けてあるグリスフィルターに使い捨て不繊布フィルターを直接当接させるものやアルミ箔製枠付不繊布フィルターを当接さて油汚れを防止するものである。
【０００３】
この方法は、グリスフィルターのみ、油汚れを防止することはできるが、レンジフードの内側全体の汚れは防げない、これを洗剤等で清掃することが高所作業のため大変な労力負担で極めて大きな問題であり清掃を怠りがちになり、その結果付着した油が油滴となって垂れる恐れがあり料理中の火が引火して大事故が発生する。
【０００４】
【考案が解決しようとする課題】
本考案は、このような点に着目してなされたものであり、レンジフードのグリスフィルター及び本体の内側に油が付着することを本考案のフィルター付フレームで全体を被い、簡単に取付け取外しする事ができると共に換気機能を害さずしかも効果的に油汚れを防止することができるレンジフード用油汚れ防止フィルター付フレームを提供することを目的とする。
【０００５】
【課題を解決するための手段】
上記目的に沿う本考案の構成は、浅・深型等レンジフードの下端開口部全体に目の粗い難燃性の使い捨て不繊布フィルターを当接したフィルター付フレームで被い永久磁石で両者を固定したことを特徴とする。
【０００６】
要するに本考案は使い捨て難燃性不繊布フィルターをフレームに容易に着脱できる様に当接したものをレンジフードに永久磁石で固定することを要旨とするものであるが、従来レンジフードのグリスフィルター部のみであり本体全体を被うという発想は全く知られていない。
【０００７】
【考案の実施の形態】
この本考案は深型、浅型等のレンジフード下端開口縁の周囲全体にフレームの内側全周に接着させてあるマジックテープ雄に使い捨て難燃性不繊布フィルターを外側より被うようにそのマジックテープに巻きつけて当接させたフィルター付フレームを自重で脱落しない程度に永久磁石を取付けて本体に固定する極めて容易に着脱自在に取付け取外しができるレンジフード用油汚れ防止フィルター付フレームである。
【０００８】
【実施例】
次に本考案の実施例を図面に基づいて説明する。
図１及び図２に示すように深型１、浅型１ａレンジフード下端開口部全体を難燃性の不繊布フィルター７を当接されたフィルター付フレーム２に自重で脱落しない程度に取り付けた永久磁石４で両者を固定した例を示す。
【０００９】
マジックテープ雄３は図７・８に示すように、フレーム２の外周内側に両面テープ９ａ又は適当な接着剤９ｂで固定したもので、そこに目の粗い難燃性不繊布フィルター７を外周外側より内側に巻きつけるように当接させて止めるもの。
【００１０】
永久磁石４は、図１０・１１に示すように磁石支持金具４ａに嵌め込まれた永久磁石４をフレーム２の自重で脱落しない程度に外周前後の内側に両面テープ９ａ又は接着剤９ｂと共に図１２・１３に示すように四角いピン８若しくはクッリプ８ａ等で固定する。但し支持金具の孔口は四角形でひとつの向かい合った二辺のみが、フレームに接する方に向かって斜めに狭くし他辺は直角とする。またフレーム本体の穴は支持金具の穴と正反対で同形としたもので、即ち穴の断面は支持金具は逆台形でフレームは台形の型をし、ピン若しくはクリップはその両者を合わせた一体の型でありそのもので両者を接合させる。またピン若しくはクリップにはフレームに挿入する方に割れ目及び狭い孔口よりも若干小さ目に台形の底辺の両端をカットするか折り曲げて挿入し易くする。
【００１１】
図３・４に示す難燃性不繊布フィルター７は目を粗く形成したガラス繊維不繊布フィルター若しくは難燃性合成繊維不繊布フィルターを使用することができる。
【００１２】
図３・４・９に示すフレーム２は、深型レンジフード１・浅型レンジフード１ａの前方の屈折した曲がり角度に合わせたもので屈折した部分には曲がりと同じへの字形の横補強板５を左右両端に接合させる。また幅が６０ｃｍ以上のものは幅の真中に更に、板状の縦補強板５ａを前後両端に接合させる。この補強を入れることで不繊布フィルター７の張りを良くし、またレンジフード内へ吸い込まれないように保護する役目もする。
【００１３】
【考案の効果】
以上述べたごとく本考案によればレンジフードを使い捨て不繊布フィルターが当接されているフレームで全体を被うという極めて簡単な構成になっており汚れた不繊布フィルターの交換はフレームを簡単に外すことが出来るので、床面で簡単に誰でもが交換作業を行うことができる。従来のように高所作業での交換でお年寄りや主婦での交換が難しいことも解消される。
【００１４】
また、グリスフィルター以外の本体内側の汚れも高所での洗浄作業が不要となる他、不繊布フィルターの面積が大きいので従来よりもフィルターの交換度数が少なくなる等多くの利点を併有する。
【図面の簡単な説明】
【図１】本考案の実施例を示す油汚れ防止フィルター付フレームを取付けた深型レンジフードの斜視図である。
【図２】本考案の実施例を示す油汚れ防止フィルター付フレームを取付けた浅型レンジフードの斜視図である。
【図３】本考案の実施例を示す油汚れ防止フィルター付フレームを取付けた深型レンジフードの断面図である。
【図４】本考案の実施例を示す油汚れ防止フィルター付フレームを取付けた浅型レンジフードの断面図である。
【図５】本考案の深型レンジフードの油汚れ防止フィルター付フレームを示す斜視図である。
【図６】本考案の浅型レンジフードの油汚れ防止フィルター付フレームを示す斜視図である。
【図７】本考案に使用する深型用フレームで前面９０度上に折返し、後部は９０度の鉤型で引掛けられるようにしたフレームに装着されたマジックテープ及び永久磁石を示す部分詳細の斜視図である。
【図８】本考案に使用する浅型用フレームで前後部は板状になったフレームに装着されたマジックテープ及び永久磁石を示す部分詳細の斜視図である。
【図９】本考案に使用する補強５ａのあるフレームに装着されたマジックテープ及び永久磁石を示す部分詳細の斜視図である。
【図１０】固定金具８を使用した永久磁石の付いている支持金具を示す斜視図である。
【図１１】固定金具８ａを使用した永久磁石の付いている支持金具を示す斜視図である。
【図１２】永久磁石が付いている支持金具とフレームが固定金具８で接合した詳細部分断面図である。
【図１３】永久磁石が付いている支持金具とフレームが固定金具８ａで接合した詳細部分断面図である。
【図１４】固定金具８
【図１５】固定金具８ａ
【符号の説明】
１            深型レンジフード
１ａ          浅型レンジフード
２            フレーム
３            マジックテープオス
４            永久磁石
４ａ          磁石支持金具
５            横補強フレーム
５ａ          縦補強フレーム
６            後部引掛け型フレーム
７            不繊布フィルター
８            固定金具
８ａ          固定金具
【図１】
0003101682.tif 000003
【図２】
0003101682.tif 000004
【図３】
0003101682.tif 000005
【図４】
0003101682.tif 000006
【図５】
0003101682.tif 000007
【図６】
0003101682.tif 000008
【図７】
0003101682.tif 000009
【図８】
0003101682.tif 000010
【図９】
0003101682.tif 000011
【図１０】
0003101682.tif 000012
【図１１】
0003101682.tif 000013
【図１２】
0003101682.tif 000014
【図１３】
0003101682.tif 000015
【図１４】
0003101682.tif 000016
【図１５】
0003101682.tif 000017
【手続補正書】
【提出日】平成15年9月12日(2003.9.12)
【手続補正１】
【補正対象書類名】明細書
【補正対象項目名】全文
【補正方法】変更
【補正の内容】
【実用新案登録請求の範囲】
【請求項１】各種型のレンジフード本体の吸い込み口全体を被う為の目の粗い難燃性の使い捨て不繊布フィルターが取り付けてあるフレームとレンジフードを永久磁石で固定したことを特徴とするレンジフード用油汚れ防止フィルター付フレーム。
【請求項２】フレーム内側全周にマジックテープ（登録商標）のオスを両面テープまたは接着剤で接着させ、目の粗い難燃性の使い捨て不織布フィルターをフレー厶全体に外側から被い、周端を内側に折り返して、マジックテープ（登録商標）に当接させ止めることを特徴とする請求項１のレンジフード用油汚れ防止フィルター付フレー厶。
【考案の詳細な説明】
【０００１】
【考案の属する技術分野】
本考案は不繊布フィルターを容易に着脱できるフィルター付フレー厶をレンジフードの下部全体に被い両者を固定し、内部全体の油汚れを防止することに関するものである。
【０００２】
【従来の技術】
レンジフード内部に取り付けてあるグリスフィルターに使い捨て不繊布フィルターを直接当接させるものやアルミ箔製枠付不繊布フィルターを当接さて油汚れを防止するものである。
【０００３】
この方法は、グリスフィルターのみ、油汚れを防止することはできるが、レンジフードの内側全体の汚れは防げない、これを洗剤等で清掃することが高所作業のため大変な労力負担で極めて大きな問題であり清掃を怠りがちになり、その結果付着した油が油滴となって垂れる恐れがあり料理中の火が引火して大事故が発生する。
【０００４】
【考案が解決しようとする課題】
本考案は、このような点に着目してなされたものであり、レンジフードのグリスフィルター及び本体の内側に油が付着することを本考案のフィルター付フレームで全体を被い、簡単に取付け取外しする事ができると共に換気機能を害さずしかも効果的に油汚れを防止することができるレンジフード用油汚れ防止フィルター付フレー厶を提供することを目的とする。
【０００５】
【課題を解決するための手段】
上記目的に沿う本考案の構成は、浅・深型等レンジフードの下端開口部全体に目の粗い難燃性の使い捨て不繊布フィルターを当接したフィルター付フレームで被い永久磁石で両者を固定したことを特徴とする。
【０００６】
要するに本考案は使い捨て難燃性不繊布フィルターをフレー厶に容易に着脱できる様に当接したものをレンジフードに永久磁石で固定することを要旨とするものであるが、従来レンジフードのグリスフィルター部のみであり本体全体を被うという発想は全く知られていない。
【０００７】
【考案の実施の形態】
この本考案は深型、浅型等のレンジフード下端開口縁の周囲全体にフレームの内側全周に接着させてあるマジックテープ（登録商標）雄に使い捨て難燃性不繊布フィルターを外側より被うようにそのマジックテープ（登録商標）に巻きつけて当接させたフィルター付フレー厶を自重で脱落しない程度に永久磁石を取付けて本体に固定する極めて容易に着脱自在に取付け取外しができるレンジフード用油汚れ防止フィルター付フレームである。
【０００８】
【実施例】
次に本考案の実施例を図面に基づいて説明する。
図１及び図２に示すように深型１、浅型１ａレンジフード下端開口部全体を難燃性の不繊布フィルター７を当接されたフィルター付フレーム２に自重で脱落しない程度に取付けた永久磁石４でレンジフード本体に当接固定した例を示す。
【０００９】
マジックテープ（登録商標）雄３は図７・８に示すように、フレーム２の外周内側に両面テープ又は適当な接着剤で固定したもので、そこに目の粗い難燃性不繊布フィルター７を外周外側より内側に巻きつけるように当接させて止めるもの。
【００１０】
図３・４に示す難燃性不繊布フィルター７は目を粗く形成したガラス繊維不繊布フィルター若しくは難燃性合成繊維不繊布フィルターを使用することができる。
【００１１】
図３・４・９に示すフレーム２は、深型レンジフード１・浅型レンジフード１ａの前方の屈折した曲がり角度に合わせたもので屈折した部分には曲がりと同じへの字形の横補強板５を左右両端に接合させる。また幅が６０ｃｍ以上のものは幅の真中に更に、板状の縦補強板５ａを前後両端に接合させる。この補強を入れることで不繊布フィルター７の張りを良くし、またレンジフード内へ吸い込まれないように保護する役目もする。
【００１２】
【考案の効果】
以上述べたごとく本考案によればレンジフードを使い捨て不繊布フィルターが当接されているフレームで全体を被うという極めて簡単な構成になっており汚れた不繊布フィルターの交換はフレームを簡単に外すことが出来るので、床面で簡単に誰でもが交換作業を行うことができる。従来のように高所作業での交換でお年寄りや主婦での交換が難しいことも解消される。
【００１３】
また、グリスフィルター以外の本体内側の汚れも高所での洗浄作業が不要となる他、不繊布フィルターの面積が大きいので従来よりもフィルターの交換度数が少なくなる等多くの利点を併有する。
【図面の簡単な説明】
【図１】本考案の実施例を示す油汚れ防止フィルター付フレームを取付けた深型レンジフードの斜視図である。
【図２】本考案の実施例を示す油汚れ防止フィルター付フレームを取付けた浅型レンジフードの斜視図である。
【図３】本考案の実施例を示す油汚れ防止フィルター付フレームを取付けた深型レンジフードの断面図である。
【図４】本考案の実施例を示す油汚れ防止フィルター付フレームを取付けた浅型レンジフードの断面図である。
【図５】本考案の深型レンジフードの油汚れ防止フィルター付フレー厶を示す斜視図である。
【図６】本考案の浅型レンジフードの油汚れ防止フィルター付フレームを示す斜視図である。
【図７】本考案に使用する深型用フレームで前面９０度上に折返し、後部は９０度の鉤型で引掛けられるようにしたフレームに装着されたマジックテープ（登録商標）及び永久磁石を示す部分詳細の斜視図である。
【図８】本考案に使用する浅型用フレームで前後部は板状になったフレームに装着されたマジックテープ（登録商標）及び永久磁石を示す部分詳細の斜視図である。
【図９】本考案に使用する補強５ａのあるフレームに装着されたマジックテープ（登録商標）及び永久磁石を示す部分詳細の斜視図である。
【符号の説明】
１            深型レンジフード
１ａ          浅型レンジフード
２            フレーム
３            マジックテープ（登録商標）オス
４            永久磁石
４ａ          磁石支持金具
５            横補強フレーム
５ａ          縦補強フレーム
６            後部引掛け型フレーム
７            不繊布フィルター


【手続補正２】
【補正対象書類名】図面
【補正対象項目名】全図
【補正方法】変更
【補正の内容】
【図１】
0003101682.tif 000018
【図２】
0003101682.tif 000019
【図３】
0003101682.tif 000020
【図４】
0003101682.tif 000021
【図５】
0003101682.tif 000022
【図６】
0003101682.tif 000023
【図７】
0003101682.tif 000024
【図８】
0003101682.tif 000025
【図９】
0003101682.tif 000026
【手続補正書】
【提出日】平成15年12月1日(2003.12.1)
【手続補正１】
【補正対象書類名】明細書
【補正対象項目名】実用新案登録請求の範囲
【補正方法】変更
【補正の内容】
【実用新案登録請求の範囲】
【請求項１】
各種型のレンジフード本体の吸い込み口全体を被う為の目の粗い難燃性の使い捨て不繊布フィルターが取り付けてあるフレームとレンジフードを永久磁石で固定したことを特徴とするレンジフード用油汚れ防止フィルター付フレーム。
【請求項２】
フレーム内側全周に面ファスナーのオスを両面テープまたは接着剤で接着させ、目の粗い難燃性の使い捨て不織布フィルターをフレーム全体に外側から被い、周端を内側に折り返して、面ファスナーに当接させ止めることを特徴とする請求項１のレンジフード用油汚れ防止フィルター付フレーム。